(57)【要約】光学素子たとえばレンズをオプトエレクトロニクス素子に設けるために、充填剤（３）の、送光器または受光器（２）から離間する側の表面（３Ｂ）に直接的にレンズプロフィール（７）を形成することが提案される。本発明によれば、所定量の透過性の充填剤（３）を、送光器または受光器（２）を埋め込むために支持本体（１）の凹所（１Ａ）に充填し、次いでレンズプロフィール（７）を備えた透過性の充填剤が完全硬化するまえに、ポンチ（８）を用いて、透過性の充填剤（３）の、送光器または受光器（２）から離間する側の表面（３Ｂ）にレンズプロフィール（７）を圧刻する。
2004532533.tif 000002
【特許請求の範囲】
【請求項１】
オプトエレクトロニクス素子であって、
凹所（１Ａ）を備えた支持本体（１）が設けられており、
該凹所（１Ａ）内で支持本体（１）上に配置されたオプトエレクトロニクス式の送光器または受光器（２）が設けられており、
オプトエレクトロニクス式の送光器または受光器（２）を支持本体（１）の凹所（１Ａ）に埋め込む、透過性材料から成る充填剤（３）が設けられている形式のものにおいて、
充填剤（３）の、送光器または受光器（２）から離間する側の表面（３Ｂ）にレンズプロフィール（７）が形成されていることを特徴とする、オプトエレクトロニクス素子。
【請求項２】
充填剤（３）の、送光器または受光器（２）から離間する側の表面（３Ｂ）が、支持本体（１）の、送光器または受光器（２）から離間する側の表面（１Ｂ）と実質的に整合している、請求項１記載のオプトエレクトロニクス素子。
【請求項３】
レンズプロフィール（７）が、フレネルレンズの構成で形成されている、請求項１または２記載のオプトエレクトロニクス素子。
【請求項４】
充填剤（３）の材料が、ＵＶにより開始されるかまたは光により開始されるカチオン性硬化性透過性材料である、請求項１から３までのいずれか１項記載のオプトエレクトロニクス素子。
【請求項５】
充填剤（３）の材料が、ＵＶにより開始されるかまたは光により開始されるカチオン性硬化性エポキシ樹脂を有している、請求項４記載のオプトエレクトロニクス素子。
【請求項６】
凹所（１Ａ）の形成された支持本体（１）と、該凹所（１Ａ）内で支持本体（１）上に配置されたオプトエレクトロニクス式の送光器または受光器（２）とを備えたオプトエレクトロニクス素子の製造法において、
次の方法ステップ、すなわち
支持本体（１）に凹所（１Ａ）を成形し、
成形された凹所（１Ａ）に送光器または受光器（２）を取り付け、
凹所（１Ａ）に所定量の透過性の充填剤（３）を充填して、送光器または受光器（２）を埋め込み、
透過性の充填剤（３）の、送光器または受光器（２）から離間する側の表面（３Ｂ）にレンズプロフィール（７）を加工し、
レンズプロフィール（７）を備えた表面（３Ｂ）を有する透過性の充填剤（３）を硬化する、
方法ステップを有することを特徴とする、オプトエレクトロニクス素子の製造法。
【請求項７】
レンズプロフィール（７）に相当するポンチ面（８Ａ）を備えたポンチ（８）を用いて、透過性の充填剤（３）の、送光器または受光器（２）から離間する側の表面（３Ｂ）にレンズプロフィール（７）を圧刻する、請求項６記載の方法。
【請求項８】
フレネルレンズのプロフィールに相当するポンチ面（８Ａ）を有するポンチ（８）を使用する、請求項７記載の方法。
【請求項９】
レンズプロフィール（７）の圧刻が、次の方法ステップ、すなわち、
ポンチ（８）をポンチ表面（８Ａ）で、透過性の充填剤（３）の表面（３Ｂ）に押し付けて、ポンチ表面（８Ａ）に相当するレンズプロフィール（７）を成形し、
成形されたレンズプロフィール（７）を備えた透過性の充填剤（３）を硬化し、
硬化された透過性の充填剤（３）からポンチ（８）を持ち上げる、
方法ステップを有する、請求項７または８記載の方法。
【請求項１０】
充填剤（３）に関して非付着性特性を有する材料から成る層を少なくともポンチ面（８Ａ）で備えたポンチ（８）を使用する、請求項９記載の方法。
【請求項１１】
透過性材料から成るポンチ（８）を使用し、ＵＶにより開始されるかまたは光により開始されるカチオン性硬化性材料から成る充填剤（３）を使用し、
レンズプロフィール（７）を備えた充填剤（３）の硬化を、ポンチ（８）を通る紫外線または光線（９）で負荷することによって行う、請求項９または１０記載の方法。
【請求項１２】
レンズプロフィール（７）を備えた充填剤（３）の硬化を、ＵＶ閃光によって行う、請求項１１記載の方法。
【請求項１３】
ＵＶにより開始されるかまたは光により開始されるカチオン性硬化性エポキシ樹脂を有する充填剤（３）を用いる、請求項１１または１２記載の方法。
【発明の詳細な説明】
【技術分野】
【０００１】
本発明は、オプトエレクトロニクス素子であって、凹所を備えた支持本体が設けられており、該凹所内で支持本体上に配置されたオプトエレクトロニクス式の送光器または受光器が設けられており、オプトエレクトロニクス式の送光器または受光器を支持本体の凹所に埋め込む、透過性材料から成る充填剤が設けられている形式のものに関する。また本発明は、このようなオプトエレクトロニクス素子の製造法に関する。
【０００２】
このような形式のオプトエレクトロニクス素子の一例を図３に示した。図３に示した構造形式は、たとえば“ＳＩＥＭＥＮＳ  ＳＭＴ−ＴＯＰＬＥＤ  ｆｕｅｒ  ｄｉｅ  Ｏｂｅｒｆｌａｅｃｈｅｎｍｏｎｔａｇｅ”ｖｏｎ  Ｆ．Ｍｏｅｌｌｅｒ  ｕｎｄ  Ｇ．Ｗａｉｔｌ  ｉｎ  ｄｅｒ  Ｚｅｉｔｓｃｈｒｉｆｔ  Ｓｉｅｍｅｎｓ  Ｃｏｍｐｏｎｅｎｔｓ２９（１９９１）、第４号、第１４７−１４９頁、に詳しく記載されていて、表面実装技術（ＳＭＴ）で製造可能なオプトエレクトロニクス素子が判りやすく示されている。
【０００３】
オプトエレクトロニクス式の送光器たとえばＬＥＤ２はその電気的な接触面で、導体帯５ａ上に取り付けられており、この導体帯５ａは電源の一方の極と接続されており、これに対して反対側の、電源の別の一方の極と接続された導体帯５ｂは、ボンディングワイヤ６によってＬＥＤ２の別の電気的な接触面と接続されている。耐熱性の熱可塑性樹脂から成る支持本体１が、導体帯５ａ，５ｂの周りに射出成形で成形され、この場合支持本体１に凹所１Ａが形成され、この凹所１Ａに、導体帯５ａ上に配置されたＬＥＤ２が入り込む。支持本体１の凹所１Ａは、透過性の充填剤３で充填され、これによってＬＥＤ２を保護して凹所１Ａに埋め込むことができる。
【０００４】
図３に示したように、支持本体１の表面１Ｂで終わる充填剤３の表面３Ｂに、光学素子たとえばレンズ４が配置されており、これによってＬＥＤ２の放射特性が変化される。レンズ４をオプトエレクトロニクス素子に取り付けるために、既に従来技術から様々な方法が公知である。
【０００５】
公知の１製造法では、光学素子が、透過性の充填剤でＬＥＤを埋め込む際に、適当な注型によって取り付けられる。このような方法で製作されるオプトエレクトロニクス素子は、たとえば米国特許第４８４３２８０号明細書に記載されているが、ここでも充填材料を様々なレンズ形状で成形することについては詳しくは述べられていない。透過性の充填剤で埋め込む際に同時にレンズ形状を形成する場合、特に取出、および導体帯のコンタクトに及ぼされる力に欠点が生じる。このような力は、比較的大量の充填剤によって生じ、これは熱負荷の際に比較的高い力をコンタクトに及ぼす。
【０００６】
冒頭で述べたようなオプトエレクトロニクス素子の別の製造法によれば、先ず支持本体の凹所を透過性の充填剤で埋め込み、次いで光学素子を別個に充填剤の表面に取り付ける。このような方法は、たとえばドイツ連邦共和国特許出願公開第１９７５５７３４号明細書およびドイツ連邦共和国特許出願公開第１９９１８３７０号明細書に詳しく記載されている。このような方法の欠点によれば、レンズを取り付ける追加的なステップが必要であり、さらにこの方法は充填剤を平らに埋め込む際、もしくはレンズを配置する際に製造誤差に対して敏感であり、また透過性の充填剤に設けられたレンズの付着に対して敏感である。
【０００７】
したがって本発明の課題は、冒頭で述べたような形式のエレクトロニクス素子およびその製造法を改良して、光学素子の形成を簡単な形式で経済的かつ位置精確に行うことのできるようなものを提供することである。
【０００８】
この課題は、請求項１の特徴部に記載した構成手段を有するオプトエレクトロニクス素子によって、もしくは請求項６の特徴部に記載した方法を有するオプトエレクトロニクス素子の製造法によって解決される。本発明の有利な実施形態および改良形は従属請求項の対象である。
【０００９】
本発明によれば、充填剤の、送光器または受光器から離間する側の表面自体がレンズプロフィールを有して形成されている。このことは本発明によれば、送光器または受光器を埋め込むために、所定量の透過性の充填剤を凹所に充填し、次いで圧刻されたレンズプロフィールを備えた透過性の充填剤が完全硬化されるまえに、透過性の充填剤の、送光器または受光器から離間する側の表面にレンズプロフィールを圧刻することによって行われる。
【００１０】
本発明によれば、光学素子を接着する追加的な方法ステップは不要である。さらに透過性の充填剤の表面にレンズ形状を直接的に圧刻することは、既に記載したような、ＬＥＤを埋め込んで組み込み式のレンズを設けることよりも問題が少ない。
【００１１】
有利にはレンズプロフィールに相当するポンチ面を備えたポンチを用いて、レンズプロフィールを、透過性の充填剤の、送光器または受光器から離間する側の表面に圧刻する。
【００１２】
本発明の有利な方法によれば、レンズプロフィールの圧刻の方法ステップが次のステップを有しており、すなわち、ポンチをポンチ表面で透過性の充填剤の表面に押し付けてレンズプロフィールを成形するステップ、成形されたレンズプロフィールを備えた透過性の充填剤を部分硬化するステップ、ならびに部分硬化された透過性の充填剤からポンチを持ち上げるステップを有している。透過性の充填剤の表面からポンチを容易に持ち上げるために、ポンチのポンチ面は、充填剤に関して非付着性特性を有する材料から成る層を備えている。
【００１３】
さらに有利には、ポンチが透過性の材料から成っており、充填剤が、ＵＶにより開始されるかまたは光により開始されるカチオン性硬化性透過性材料から成っている。この場合レンズプロフィールを備えた充填剤の部分硬化に関する前述の方法ステップは、ポンチを透過する紫外線または光線で充填材料を負荷することによって行われ、これによって特に硬化機構を備えたエポキシ樹脂はゲル相へ移行し、このゲル相への移行によって既に予備固定が得られる。部分硬化は数秒の内に行うことができる。単に短い閃光またはＵＶ閃光によって部分硬化を励起することもできる。このような短い部分硬化段階のあとで、ポンチが持ち上げられ、次いでレンズプロフィールが高温下で本来の硬化によって最終的に固定可能である。
【００１４】
次に図面につき、本発明のオプトエレクトロニクス素子とその製造法の実施例を詳しく説明する。
【００１５】
図１には、本発明のオプトエレクトロニクス素子の有利な１実施例を概略的に断面図で示した。オプトエレクトロニクス素子の基本体は、支持本体１を成形しつつ耐熱性の熱可塑性樹脂で導体帯５を射出成形で埋め込むことによって形成される。支持本体１は中央の凹所１Ａを備えており、この凹所１Ａに、オプトエレクトロニクス的な送光器または受光器たとえばＬＥＤ２が配置されていて、この送光器または受光器は導体帯５と電気的に接続される。
【００１６】
図１に示したように有利には、支持本体１の凹所１Ａの内面は斜めに形成されている。高い拡散反射率を有する支持本体１のための適当な材料選択によって、傾斜内面はリフレクタとして役立ち、これによってオプトエレクトロニクス素子の送光能力もしくは受光感度を高めることができる。
【００１７】
オプトエレクトロニクス式の送光器または受光器２は、透過性の充填剤３に埋め込まれている。充填剤３の、送光器または受光器２から離間する側の表面３Ｂは、実質的に支持本体１Ｂの表面１Ｂで終わっている。ここで述べておくと、本発明の枠内で、もちろん必要に応じて支持本体１の凹所１Ａに設けられる充填剤３の充填高さを図示の実施例とは別の高さに選択することもできる。
【００１８】
さらに充填剤３の、送光器または受光器２から離間する側の表面３Ｂはレンズプロフィール７を備えており、このレンズプロフィール７は直接的に充填剤３に形成されている。図１には、レンズプロフィール７の１実施例として極端に簡略化した形状でフレネルレンズを示した。しかしながら本発明は図１に示したレンズ形状７に制限されるものではなく、原則として充填剤３の表面３Ｂは任意のレンズ形状で形成することができる。
【００１９】
充填剤３の材料として透過性材料が使用され、この透過性材料は、有利にはＵＶにより開始されるかまたは光により開始されるカチオン性硬化性特性を有している。特に有利な充填剤３は、ＵＶにより開始されるかまたは光により開始されるカチオン性硬化性エポキシ樹脂を有している。そのような充填剤３は、光線または紫外線で負荷することによって数秒の内に部分硬化するかもしくは予備固定して、あとで熱的に完全硬化することができる。
【００２０】
支持本体１の材料選択と、オプトエレクトロニクス素子の光学特性とに応じて、充填剤３は前述のエポキシ樹脂の主要成分の他に別の成分を有しており、これによって支持本体材料との結合強さ、部分硬化時間および完全硬化時間、光透過率、屈折率、耐熱性、機構的な硬さなどを所望の形式で調節することができる。
【００２１】
図２に基づいて、既に述べた本発明によるオプトエレクトロニクス素子の製造法について説明する。
【００２２】
先ず耐熱性の熱可塑性樹脂を射出成形して導体帯５を埋め込み、これによって支持本体１が形成される。この過程と同時か、または後続の方法ステップで、支持本体１に中央の凹所１Ａが成形され、この凹所１Ａの底面に沿って接触のために導体帯５が露出される。この凹所１Ａに送光器または受光器たとえばＬＥＤ２が配置され、この送光器または受光器は一般的な形式で導体帯５と電気的に接続される。
【００２３】
次いで所定量の前述の透過性で流動性の充填剤３が凹所１Ａに充填され、これによって送光器または受光器２が凹所１Ａ内で埋め込まれる。図１および図２に示した実施例では、充填しようとする充填剤３は、次のように調量され、つまり埋め込まれる送光器または受光器２から離間する側の表面３Ｂが、支持本体１Ｂの表面１Ｂと整合するように、言い換えると凹所１Ａが完全に流動性の充填剤３で充填されるように、調量される。
【００２４】
図２において矢印で示したように、次いでポンチ８が、まだ流動性の充填剤３の表面３Ｂに押し付けられる。ここではポンチ８は、充填剤３の表面３Ｂに沿って圧刻しようとする所望のレンズ形状７に相当するポンチ面８Ａを備えている。図１および図２に示した実施例では、レンズ形状７は、フレネルレンズとして略示したが、本発明は特別なレンズ形状に制限されるものではない。
【００２５】
有利にはポンチ面８Ａを備えたポンチ８は、透過性材料、たとえばガラスまたはプラスチックから製作されている。このようにしてＵＶにより開始されるかまたは光により開始されるカチオン性硬化性材料から成る充填剤３の表面３Ｂを、適当な放射源９を用いて、ポンチ８を透過して紫外線または光線で負荷することができ、その間ポンチ８はレンズプロフィール７を成形するために充填剤３の表面３Ｂに押し付けられ、これによってこの状態で、成形されたレンズプロフィール７を備えた表面３Ｂは部分硬化するか、もしくは予備固定することができる。０．１〜５秒の時間が経つと、既にレンズプロフィール７は十分に固定されている。
【００２６】
次いでポンチ８は、部分硬化された充填剤３の表面３Ｂから持ち上げられる。この過程を容易にするために、ポンチ８の少なくともポンチ面８Ａが、有利な形式で充填剤３に関して非付着性特性を有する透過性の材料から成る層を備えている。
【００２７】
別の方法ステップで、予備固定されたレンズプロフィールを備えた、部分硬化された充填剤３は、たとえば１００度を超える熱で完全硬化される。
【００２８】
記載の方法では、レンズプロフィールを充填剤の表面に直接的に圧刻することによって、レンズを取り付けるための別個の方法ステップが不要となる。さらに圧刻は、レンズプロフィールの十分に高い位置精度を保証しつつ、簡単かつ問題なく行うことができる。
【図面の簡単な説明】
【００２９】
【図１】本発明のオプトエレクトロニクス素子を概略的に示す断面図である。
【００３０】
【図２】図１に示した本発明のオプトエレクトロニクス素子の製造法を示す図である。
【００３１】
【図３】従来技術のオプトエレクトロニクス素子を概略的に示す断面図である。
【符号の説明】
【００３２】
１  支持本体、  １Ａ  凹所、  １Ｂ  表面、  ２  送光器または受光器、  ３  充填剤、  ３Ｂ  表面、  ５  導体帯、  ７  レンズプロフィール、  ８  ポンチ、  ８Ａ  ポンチ表面、  ９  放射源
【国際公開パンフレット】
2004532533.tif 000003
2004532533.tif 000004
2004532533.tif 000005
2004532533.tif 000006
2004532533.tif 000007
2004532533.tif 000008
2004532533.tif 000009
2004532533.tif 000010
2004532533.tif 000011
2004532533.tif 000012
2004532533.tif 000013
2004532533.tif 000014
2004532533.tif 000015
2004532533.tif 000016
2004532533.tif 000017
【国際公開パンフレット（コレクトバージョン）】
2004532533.tif 000018
2004532533.tif 000019
【国際調査報告】
2004532533.tif 000020
2004532533.tif 000021
2004532533.tif 000022
2004532533.tif 000023
2004532533.tif 000024
2004532533.tif 000025